(57)【要約】      （修正有）【課題】  リングを往復操作して芯の繰り出しを行わなければならず、また、リングの回転方向を間違えてしまった場合には、それ以上の同一方向への回転が規制されてしまっているため、その結果、芯の繰り出しを行うには、反対方向にリングを回転させなければならず煩わしい芯の繰り出し操作となってしまっていた。【解決手段】  軸筒本体が少なくとも下軸と上軸からなり、その軸筒内に筆記体が前後動可能に配置された出没式筆記具であって、前記下軸に小径部を形成し、その小径部を前記上軸の内部に固定することによって、それら下軸と上軸を固定せしめ、また、それら下軸と上軸の連結部分にリング部材を軸筒の軸線に対して回転自在に設けると共に、そのリング部材の内面にカム面を設け、更に、そのカム面に当接し、そのカム面が設けられているリング部材の回転によって上下動する摺動台を配置し、その摺動台の前後動によって前記筆記体を出没させた出没式筆記具。【選択図】図２
2007276124.tif 000002
【特許請求の範囲】
【請求項１】
軸筒本体が少なくとも下軸と上軸からなり、その軸筒内に筆記体が前後動可能に配置された出没式筆記具であって、前記下軸に小径部を形成し、その小径部を前記上軸の内部に固定することによって、それら下軸と上軸を固定せしめ、また、それら下軸と上軸の連結部分にリング部材を軸筒の軸線に対して回転自在に設けると共に、そのリング部材の内面にカム面を設け、更に、そのカム面に当接し、そのカム面が設けられているリング部材の回転によって上下動する摺動台を配置し、その摺動台の前後動によって前記筆記体を出没させたことを特徴とする出没式筆記具。
【請求項２】
前記軸筒本体の内部にシャープペンシルユニットを配置すると共に、そのシャープペンシルユニットを作動せしめることによって前記筆記体である芯を出没させたことを特徴とする請求項１記載の出没式筆記具。
【発明の詳細な説明】
【技術分野】
【０００１】
本発明は、軸筒本体が少なくとも下軸と上軸からなり、その軸筒内に筆記体が前後動可能に配置された出没式筆記具に関する。
【背景技術】
【０００２】
１例として実開昭５１−０４９１４１号公報があり、その実用新案登録請求の範囲には、「ペンシル軸本体内に進退筒を装着したその先端のチャックと共に進退させてチャックを開閉し、該チャック内から芯をペンシル先端へ進出させるようにしたシャープペンシルにおいて、該ペン軸本体の指先が接する分部の外周に指先で自在に回動し得る全周に亘るリングを装着し、このリングの内側に位置するペン軸本体の内周には該リングと連結片によって結合し、本体の内周に摺接して該リングと共に回動する筒状のカムを設け、前記芯収納筒の下端のピンを該カムの下縁に設けたカム縁に接触させることにより芯収納筒を進退させるようにしたことを特徴とするシャープペンシル。」と記載されている。つまり、回動するリングは、軸本体の内側に位置する筒状のカムと連結片によって結合されており、その筒状のカムが前記リングによって回転させられることにより、芯収納筒に取り付けられているピンが上下動し、これによって芯収納筒が進退させられ、芯の繰り出しが行われると言うものである。
【特許文献１】実開昭５１−０４９１４１号公報。
【発明の開示】
【発明が解決しようとする課題】
【０００３】
しかし、上記従来技術にあっては、リングと筒状のカムを結合する連結片が、ペンシル軸本体の側壁に形成された切溝を貫通しているため、前記のリング並びに、筒状のカムは３６０度未満の回転しか得られなかった。つまり、前記切溝を３６０度に亘って形成してしまうとペンシル軸本体が分離してしまうのである。そして、その分離防止のための強度を考慮すると、前記の切溝はペンシル軸本体外周の１／３〜半分程度にしなければならなかった。これによって、前記リングを往復操作して芯の繰り出しを行わなければならず、煩わしさが些かあった。また、リングの回転方向を間違えてしまった場合には、それ以上の同一方向への回転が規制されてしまっているため、その結果、芯の繰り出しを行うには、反対方向にリングを回転させなければならず、これまた、煩わしい芯の繰り出し操作となってしまっていた。
【課題を解決するための手段】
【０００４】
本発明は、上記問題点を鑑みてなされたものであり、軸筒本体が少なくとも下軸と上軸からなり、その軸筒内に筆記体が前後動可能に配置された出没式筆記具であって、前記下軸に小径部を形成し、その小径部を前記上軸の内部に固定することによって、それら下軸と上軸を固定せしめ、また、それら下軸と上軸の連結部分にリング部材を軸筒の軸線に対して回転自在に設けると共に、そのリング部材の内面にカム面を設け、更に、そのカム面に当接し、そのカム面が設けられているリング部材の回転によって上下動する摺動台を配置し、その摺動台の前後動によって前記筆記体を出没させたことを要旨とする。
【発明の効果】
【０００５】
本発明は、軸筒本体が少なくとも下軸と上軸からなり、その軸筒内に筆記体が前後動可能に配置された出没式筆記具であって、前記下軸に小径部を形成し、その小径部を前記上軸の内部に固定することによって、それら下軸と上軸を固定せしめ、また、それら下軸と上軸の連結部分にリング部材を軸筒の軸線に対して回転自在に設けると共に、そのリング部材の内面にカム面を設け、更に、そのカム面に当接し、そのカム面が設けられているリング部材の回転によって上下動する摺動台を配置し、その摺動台の前後動によって前記筆記体を出没させたことを要旨としているので、ノック操作による回転方向を意識することなく、確実に芯の繰り出し、並びに、没入を行うことができる。
【発明を実施するための最良の形態】
【０００６】
図１〜図５で第１例を示し説明する。軸筒本体は、上軸１８と下軸３とから構成されており、その下軸３の前方部、即ち、筆記の際に握る部分にはゴム状弾性体からなるグリップ２が円周上の全域に渡って設けられ嵌着しているが、液状ゴムやウレタン樹脂などを部分的に塗布し固化したり、半球状の樹脂球を下軸３の表面に接着固定したりしても良く、あるいは、下軸３の外周に微細なローレット状の凸凹を形成しその下軸３自体を握る部分、つまり、グリップ部としても良い。そのグリップ２を嵌着、或いは、下軸３自体をグリップ部とすることにより、筆記時の疲れや痛みを緩和させる効果がある。
前記下軸３の内部にはチャック体４を進退させる筒状の摺動台５が設けられており、その摺動第５の後方には１本以上（本例においては、対向した位置に設置された２本）から成る棒状のピン部６が一体形成されているが、各々を別部材で構成し互いを固定しても良い。そのピン部６は、前記下軸３に形成されている貫通孔７を摺動自在に貫通し、その下軸３に対して上下動が可能なものとなっている。
また、前記上軸１８とした軸３との連結部分には、筒状のリングカム８が回転自在に嵌め込まれている。その筒状のリングカム８の前方端面には凸凹のカム形状部（カム溝底部２５、傾斜部２６）が形成されており、そのカム形状部に前記摺動第５のピン部５が接触している。即ち、リングカム８を回転させることによって、ピン部６に上下運動が伝達され、これによって摺動台５も上下動するのである。
その摺動台５の前端部には、軸本体に対して上下動可能に配置された芯筒９に固定された受け板１０が接触した状態で位置しており、その受け板１０の前方にはチャックリング１１を被嵌した２つ割りや３つ割りのチャック体４が固定されている。そのチャック体４は芯の把持・解放を行うものであり、チャックリング１１はチャック体４の開閉を行うものである。
また、前記下軸３の前端部には、締筒１２が連結されているが、それらは下軸３の前方内面に形成されたリブ１３と締筒１２の外面に形成されたリブ１４との係合によって連結されている。その締筒１２の前端部には先金１６が螺着などの手段によって着脱自在に固定されており、その先金１６の内部には、ゴム状弾性体からなる芯戻り止め部材１５が圧入・固定されている。尚、符号１７は前記チャック体４や芯筒９などを後方に向けて付勢するコイルスプリングなどの弾撥部材である。
【０００７】
前記上軸１８と下軸３の連結は、下軸３の後部に延設形成された軸連結筒部（小径部）１９が上軸の内側に形成された貫通孔に嵌まり込むことによってなされているが、前記上軸１８と下軸３の連結部には上軸１８側のリブ２０が形成され、一方、下軸３側にはリブ溝２１が形成されており、それらが係合することによって着脱不能に連結・固定される。また、前述もしたが、上軸１８と下軸３との連結部分にはリングカム２が介在しているが、そのリングカム２は実質的に前記軸連結筒部１９の軸線に対して回転自在に嵌め込まれている。勿論、そのリングカム２と、上軸１８並びに下軸２との間には隙間２３が設けられており、リングカム２のスムーズな回転が得られるようになっている。
また、そのリングカム８の外周面には、円周上の凹部８ａが形成されており、その凹部８ａにはゴム状弾性体のリング１が嵌着しているが、前記グリップと同様に、液状ゴムやウレタン樹脂などを部分的に塗布し固化したり、半球状の樹脂球をリングカム８の表面に接着固定したりしても良く、あるいは、リングカム８の外周に凸凹を形成しそのリングカム８自体で滑り止め効果を得ても良い。ゴム状弾性体からなるリング１を嵌着、或いは、外周に微細なローレット状の凸凹を形成したリングカム８により、指先でノック操作する際のグリップ力が向上され、回転ノック動作が容易なものとなる。この回転ノック操作を考慮すると、前記ゴム状弾性体を部分的に突出させた状態で配置するのが好ましい。また、軸本体の後端を押圧操作することによって芯の繰り出しが行える機構、即ち、芯筒９の後端に配置されているノック２４を押圧することによってチャック体４の開閉動作を行える機構を有しているため、そのノック２４の押圧操作によって芯の突出（繰り出し）・没入も可能となっている。
前記リングカム８の内面には、内鍔部８ｂが形成されており、その内鍔部８ｂの下面にはカム溝底部２５や傾斜部２６、カム溝頂部２７などから構成される二等辺三角形状のカム形状部が形成されている。そして、そのカム形状部に前記ピン部６が接触しているが、そのピン部６の頂部は半球状なっている。前記カム形状部との接触による摩擦抵抗を極力小さくしているのである。
【０００８】
次に作用について説明する。前記ノック２４を押圧すると、芯を把持したチャック体４が前進し芯が繰り出され、次いで、チャック体４が拡開し芯が開放される。ここでノック２４の押圧操作を解除すると、チャック体４は開放した状態で後退・復帰するが、やがて再び芯を把持する。この動作は、従来技術と同様である。本発明の主旨は、前記リングカム８を軸本体の軸線に対して回転させ、つまり、リングカム８を円周方向に回転させることにより、前記チャック体４を前進させ芯の繰り出しを行うことにある。以下、その操作方法について具体的に説明する。
【０００９】
前記リングカム８を図５の状態から左方向に回動させると、ピン部６はカム溝底部２５から傾斜部２６を周接しながら擦り上がり、カム溝頂部２７の位置に移動する。このとき、ピン部６は、下軸３に対して上下摺動可能に貫通孔７を貫通し案内されているため、前記の摺動台５は下軸３に対して回転することなく前進（下降）する。その摺動台５の前進に伴い、摺動台５に固定されている芯筒９や受け板１０と、その受け板１０に固定されたチャック体４も前進する。そして、チャック体４の前進に伴い、芯が前進し繰り出されるが、やがて、チャック体４が拡開し芯を開放する。このとき、弾撥部材１７は受け板１０が前進した分圧縮されることになる。尚、本例においては、カム溝頂部２７を鋭角としているが、材質によっては面取り、Ｒ付け（曲面）を設け、ピン部６との摩擦で破損しないようにしても良い。
【００１０】
更に、リングカム８の回転をし続けると、弾撥部材１７の復元作用と、前記ピン部６のカム溝頂部２７からカム溝底部２８への移動と相まって、ピン部６は傾斜部２９を滑り下り、カム溝底部２８の位置に移動する。この動作に伴って、前記弾撥部材１７や受け板１０、チャック体４、チャックリング１１、並びに、摺動台５が元の位置へと復帰し、この際、芯は再びチャック体４は把持される。尚、芯を没入させたい場合には、受け板１０と芯筒９に連結されているノック２４を押圧する。このノック２４の押圧動作によって再びチャック体４が拡開し芯が開放される。また、前記リングカム８を回転させピン部６が頂部の位置、すなわち、芯がチャック体４から解放されている間に、繰り出されている芯を押して戻すこともできる。
【００１１】
第２例を図６、図７に示し説明する。前記第１例のリングカム８のカム形状を変えたものであり、リングカムで芯を没入させる際の容易性が図られている。リングカム３０を図７の状態から左方向に回動させると、ピン部３１はカム溝底部３２から傾斜部３３を周接しながら擦り上がりカム溝頂部３４の位置に移動する。前記第１例の動作と同様に摺動台３５が前進し芯の繰り出しがなされる。更に、リングカム３０を回動させると、ピン部３１はカム溝止部３６を超え傾斜部３７を滑り下り、やがてカム溝底部３８に移動し芯の繰り出し動作が解除される。ここで、リングカム３０を逆に回動させると前記ピン部３１は傾斜部３７を擦り上がりがカム溝止部３６で移動が阻止される。このとき、チャック体３９はチャックリング４０から解放された状態にあり、芯を机上などに押し付けることによって没入させることができる。
【００１２】
第３例を図８〜図１０に示し説明する。筆記体としてボールペンを軸本体に収納させた例である。前記第１例と同様な構成は、その説明を省略する。インキ筒４１の前方には、受け板４２が固定されており、その受け板４２の前方にはペン先４３が設けられている。そのペン先４３の出没作用は第１例とほぼ同様であり、軸本体の中間部に回転自在に嵌めこまれたリングカム４４によってなされる。そのリングカム４４を図９の状態から左方向に回動させると、ピン部４５はカム溝底部４６から傾斜部４７を周接しながら擦り上がり、やがてカム溝頂部４８に移動する。このとき、摺動台４９が前進するため、その摺動台４９の前進に伴って前記受け板４２とその受け板４２に結合されたインキ筒４１も弾発部材５０を圧縮させながら前進する。更にリングカム４４を回動させると、前記ピン部４５はカム溝頂部４８を超えカム溝平部５１に移動し、このとき前記ペン先４３の突出状態が維持され筆記状態となる。ここで、更に、リングカム４４を回動させるとピン部４５はカム溝頂部５２を超え、弾撥部材５０の弾発力によって傾斜部５３を滑り下りてカム溝底部５４に移動し前記突出状態にあったぺン先４３が没入する。
【図面の簡単な説明】
【００１３】
【図１】本考案を実施した第１例を示す正面図。
【図２】同上要部の拡大縦断側面図。
【図３】図２のＡ−Ａ線断面から見た上側図。
【図４】図２のＡ−Ａ線断面から見た下側図。
【図５】図２の要部側面展開図。
【図６】請求項２に関する要部縦断側面図。
【図７】請求項２に関する要部側面展開図。
【図８】ボールペンの拡大縦断側面図。
【図９】図６のリングカム３２の要部側面展開図。
【図１０】図６のＡ−Ａ線断面から見た上側図。
【符号の説明】
【００１４】
１    リング
２    グリップ
３    下軸
４    チャック体
５    摺動台
６    ピン部
７    貫通孔
８    リングカム
９    芯筒
１０  受け板
１１  チャックリング
１２  締筒
１３  リブ
１４  リブ溝
１５  芯戻り止め部材
１６  先金
１７  弾撥部材
１８  上軸
１９  軸連結筒部
２０  リブ
２１  リブ溝
２２  内部端面
２３  隙間
２４  ノック
２５  カム溝底部
２６  傾斜部
２７  カム溝頂部
２８  カム溝底部
２９  傾斜部
３０  リングカム
３１  ピン部
３２  カム溝底部
３３  傾斜部
３４  カム溝頂部
３５  摺動台
３６  カム溝止部
３７  傾斜部
３８  カム溝底部
３９  チャック体
４０  チャックリング
４１  インキ筒
４２  受け板
４３  ペン先
４４  リングカム
４５  ピン部
４６  カム溝底部
４７  傾斜部
４８  カム溝頂部
４９  摺動台
５０  弾撥部材
５１  カム溝平部
５２  カム溝頂部
５３  傾斜部
５４  カム溝底部
【図１】
2007276124.tif 000003
【図２】
2007276124.tif 000004
【図３】
2007276124.tif 000005
【図４】
2007276124.tif 000006
【図５】
2007276124.tif 000007
【図６】
2007276124.tif 000008
【図７】
2007276124.tif 000009
【図８】
2007276124.tif 000010
【図９】
2007276124.tif 000011
【図１０】
2007276124.tif 000012